(57)【要約】【課題】キー画像と所見との関連を明瞭に把握可能な読影レポート作成装置の提供。【解決手段】表示部５０は、画像表示領域と所見入力領域とを含む読影レポート作成画面を表示する。入力部１０は、画像表示領域に医用画像を、所見入力領域に前記入力された医用画像に関連する所見を入力する。表示制御部３７は、入力された医用画像と入力された所見とを視覚的に対応付けて表示部５０に表示させる。【選択図】      図１
2010277159.tif 000002
【特許請求の範囲】
【請求項１】
画像表示領域と所見入力領域とを含む読影レポート作成画面を表示する表示部と、
前記画像表示領域に医用画像を、前記所見入力領域に前記入力された医用画像に関連する所見を入力する入力部と、
前記入力された医用画像と前記入力された所見とを視覚的に対応付けて前記表示部に表示させる表示制御部と、
を具備する読影レポート作成装置。
【請求項２】
前記表示部は、前記入力された医用画像と前記入力された所見とを視覚的に対応付けるためのマークを、前記医用画像内又はその近傍と前記所見内又はその近傍とにそれぞれ表示する、請求項１記載の読影レポート作成装置。
【請求項３】
前記読影レポート作成画面は、さらにマーク一覧表示領域を有しており、
前記表示部は、前記マークの一覧を前記マーク一覧表示領域に表示する、
請求項２記載の読影レポート作成装置。
【請求項４】
前記入力された医用画像が複数の場合、前記複数の医用画像にそれぞれ対応する複数の前マークのうちの少なくとも２つのマークをユーザからの指示に従って関連付ける関連付け部をさらに備え、
前記表示部は、前記関連付けられた少なくとも２つのマークのうちの１つのマークがユーザからの指示に従って指定されたことを契機として、前記少なくとも２つのマークを他のマークとは異なる表示態様で表示する、
請求項２記載の読影レポート作成装置。
【発明の詳細な説明】
【技術分野】
【０００１】
本発明は、医用画像の読影レポートを作成する読影レポート作成装置に関する。
【背景技術】
【０００２】
医用画像の読影レポートを作成する際には、読影レポート作成装置が利用されている。読影レポートには、医用画像を読影した結果の判断や意見を示す所見と、読影した医用画像のキー画像とが含まれる。キー画像を読影レポート内に保存する方法として、ビューワに表示されている医用画像を選択し、選択された医用画像を読影レポートの所定領域に貼り付ける方法がある。この方法では、キー画像が読影レポートに貼り付けられているのみで、所見とキー画像との関連がわからない。特に読影レポートに複数のキー画像が貼り付けられている場合、この傾向は強まる。
【先行技術文献】
【特許文献】
【０００３】
【特許文献１】特開平４―１７１５８１号公報
【特許文献２】特開２００５―３０１４５３号公報
【発明の概要】
【発明が解決しようとする課題】
【０００４】
本発明の目的は、キー画像と所見との関連を明瞭に把握可能な読影レポート作成装置を提供することにある。
【課題を解決するための手段】
【０００５】
本発明の第１局面に係る読影レポート作成装置は、画像表示領域と所見入力領域とを含む読影レポート作成画面を表示する表示部と、前記画像表示領域に医用画像を、前記所見入力領域に前記入力された医用画像に関連する所見を入力する入力部と、前記入力された医用画像と前記入力された所見とを視覚的に対応付けて前記表示部に表示させる表示制御部と、を具備する。
【発明の効果】
【０００６】
本発明によれば、キー画像と所見との関連を明瞭に把握可能な読影レポート作成装置の提供が実現する。
【図面の簡単な説明】
【０００７】
【図１】本発明の実施形態に係る読影レポート作成装置の構成を示す図である。
【図２】図１の読影レポート作成装置により表示される読影レポート作成画面の一例を示す図。
【図３】図１のキー画像保存部により保存されるキー画像―マークテーブルの一例を示す図。
【図４】図１のマーク間リンク保存部により保存される連動テーブルの一例を示す図である。
【図５】図１のシステム制御部の制御のもとに行なわれる読影レポート作成処理の典型的な流れを示す図。
【図６】図５のステップＳ４〜ステップＳ８の処理を説明するための図。
【図７】図５のステップＳ１０〜ステップＳ１２を説明するための図。
【図８】番号マークの場合における図５のステップＳ１６を説明するための図。
【図９】図５のステップＳ１３〜ステップＳ１５を説明するための図。
【図１０】文字列マークの場合におけるステップＳ１６を説明するための図。
【図１１】図１のシステム制御部の制御のもとに行なわれるマーク連動表示処理を説明するための図。
【図１２】図１のシステム制御部の制御のもとに行なわれるマーク連動表示処理を説明するための他の図。
【図１３】図２の読影レポート作成画面の他のレイアウト例を示す図。
【図１４】図２の読影レポート作成画面の他のレイアウト例を示す図。
【図１５】図２の読影レポート作成画面の他のレイアウト例を示す図。
【発明を実施するための形態】
【０００８】
以下、図面を参照しながら本発明の実施形態に係わる読影レポート作成装置について説明する。
【０００９】
図１は、本実施形態に係る読影レポート作成装置の構成を示す図である。図１に示すように読影レポート作成装置は、入力部１０、入力ＩＦ部２０、情報処理部３０、出力ＩＦ部４０、及び表示部５０を備える。
【００１０】
入力部１０は、キーボード１２とマウス１４とを有する。入力部１０は、医師等のユーザからキーボード１２やマウス１４を介して入力された指令や情報に応じた入力信号を入力ＩＦ（インターフェース）部２０に供給する。入力ＩＦ部２０は、入力部１０からの入力信号を情報処理部３０に供給する。
【００１１】
情報処理部３０は、本実施形態に係る読影レポート作成装置の中枢として機能する。情報処理部３０は、入力ＩＦ部２０からの入力信号に従って読影レポート作成のための種々の処理をする。そして情報処理部３０は、処理結果に関する表示画面のデータを出力ＩＦ（インターフェース）部４０に供給する。情報処理部３０の詳細な構成については後述する。
【００１２】
出力ＩＦ部４０は、情報処理部３０からの表示画面のデータを表示部５０に供給する。表示部５０は、参照情報用モニタ５２と読影レポート用モニタ５４とを有する。参照情報用モニタ５２は、読影レポートを作成するために必要な参照情報、例えば、医用画像等を表示する。読影レポート用モニタ５４は、読影レポート作成画面を表示する。
【００１３】
図２は、読影レポート作成画面の一例を示す図である。図２に示すように、読影レポート作成画面は、所見欄（所見入力領域）Ｒ１とキー画像保存領域（画像表示領域）Ｒ２とを有する。所見欄Ｒ１には、ユーザにより入力部１０のキーボード１２を介して文字列（所見）が記入される。所見は、ある医用画像を読影した結果の判断や意見である。キー画像保存領域Ｒ２には、ユーザにより入力部１０のマウス１４を介してキー画像が貼り付けられる。キー画像は、所見の内容を顕著に表すオリジナルの医用画像（以下、オリジナルの医用画像を参照画像と呼ぶことにする）のサイズが縮小された医用画像である。ここで、参照画像は、例えば、ＤＩＣＯＭ（Digital Imaging and Communications in Medicine）規格に準拠した医用画像である。キー画像は、例えば、ＪＰＥＧ（Joint Photographic Experts Group）方式で管理される。読影レポートは、このような読影レポート作成画面に所見とキー画像とが入力されることで作成される。
【００１４】
次に再び図１に戻って、情報処理部３０の構成について説明する。情報処理部３０は、レポート作成部３１、キー画像生成部３２、マーク生成部３３、リンク付け部３４、キー画像保存部３５、マーク間リンク保存部３６、表示制御部３７、及びシステム制御部３８を有する。
【００１５】
レポート作成部３１は、入力部１０のキーボード１２からの入力信号に従って所見に関する文字列を所見欄に入力する。入力された文字列は、表示制御部３７の制御のもと所見欄に表示される。またレポート作成部３１は、入力部１０のマウス１４からの入力信号に従ってキー画像をキー画像保存領域に貼り付ける。
【００１６】
キー画像生成部３２は、ユーザにより入力部１０を介して選択された参照画像のサイズを縮小し、選択された参照画像に関するキー画像のデータを生成する。キー画像は、表示制御部３７の制御のもとキー画像保存領域に表示される。
【００１７】
マーク生成部３３は、所見とそれに対応するキー画像とを読影レポート上で視覚的に対応させるためのマークを生成する。生成されたマークは、表示制御部３７の制御のもと、所見欄に表示されている所見近傍と、キー画像保存領域に表示されているキー画像近傍とにそれぞれ表示される。これにより、所見とキー画像とがマークにより視覚的に対応づけられる。マークは、例えば、番号を表すマーク（以下、番号マークと呼ぶことにする）であったり、文字や記号を表すマークであったり、所見内の特定の文字列をマーク化させたマーク（以下、文字列マークと呼ぶことにする）であったり、キー画像をさらに縮小させた画像をマーク化させたもの（以下、縮小画像マークと呼ぶことにする）であったりする。
【００１８】
リンク付け部３４は、ユーザによる入力部１０を選択されたマークとキー画像とをリンク付ける（関連付ける）。また、リンク付け部３４は、ユーザによる入力部１０を介した選択された複数のマーク同士をリンク付ける。マーク間のリンク付けは、後述するマーク連動表示のために行なわれる。
【００１９】
キー画像保存部３５は、キー画像生成部３２により生成されたキー画像のデータを読影レポートに関する電子ファイル内に保存する。また、キー画像保存部３５は、リンク付け部３４によりなされたキー画像とマークとの間のリンク付けを示すテーブル（以下、キー画像―マークテーブルと呼ぶことにする）を保存している。
【００２０】
図３は、キー画像―マークテーブルの一例を示す図である。なお図３におけるマークは、番号マークであるとする。図３に示すように、キー画像―マークテーブルは、番号マークとそれにリンク付けられたキー画像のファイル名とをリンクさせて管理している。例えばこのテーブル上では、番号「１」の番号マークにリンク付けられたキー画像のファイル名は、「￥￥１３３．１１７．４．５￥・・・￥ｉｍａｇｅ０１．ｊｐｇ」である。なお、このキー画像―マークテーブルは、一例であって、例えば、番号マークとキー画像のアドレス等とをリンク付けても良い。
【００２１】
マーク間リンク保存部３６は、リンク付け部３４によりなされたマーク間のリンク付けを示すテーブル（以下、連動テーブルと呼ぶことにする）を保存している。
【００２２】
図４は、連動テーブルの一例を示す図である。なお図４におけるマークは、番号マークであるとする。図４に示すように、連動テーブルは、番号マークと、その番号マークにリンク付けられた番号マークとをリンク付けて管理している。例えばこのテーブル上では、番号「１」の番号マークは、番号「２」の番号マークと番号「３」の番号マークと番号「７」の番号マークとにリンク付けられている。
【００２３】
表示制御部３７は、読影レポート作成装置の各部による処理や入力部１０からの入力信号を反映させた表示画面のデータを生成し、出力ＩＦ部４０を介して読影レポート用モニタ５４に表示させる。例えば、表示制御部３７は、所見欄に表示されている所見内又は近傍と、キー画像保存領域に表示されているキー画像内又は近傍とにそれぞれ同一のマークを表示させ、所見とキー画像とをマークにより視覚的に対応づける。また表示制御部３７は、キー画像とマークとの視覚的な対応をより明瞭にするため、マーク一覧表示を行なう。マーク一覧表示において表示制御部３７は、まず読影レポート作成画面にマークの一覧を表示させるための領域（以下、マーク一覧表示領域と呼ぶことにする）を設ける。そして表示制御部３７は、マーク一覧表示領域マーク生成部３３によりマークが生成されると、生成されたマークをマーク一覧表示領域内に表示する。マーク生成部３３により複数のマークが生成され、リンク付け部３４によりマーク同士がリンク付けされた場合、表示制御部３７は、マーク間のリンク付けを視覚的に明瞭にするため、マーク連動表示を行なう。マーク連動表示において表示制御部３７は、ユーザにより入力部１０を介してマーク一覧表示領域内のマークが選択された場合、選択されたマークとそのマークに連動テーブル上でリンク付けられているマークとを、他のマーク（選択されたマークに連動テーブル上でリンク付けられていないマーク）とを異なる表示態様で表示させる。また、表示制御部３７は、参照画像等の読影レポートを作成するうえで必要な参照情報を、出力ＩＦ部４０を介して参照情報用モニタ５２に表示させる。
【００２４】
システム制御部３８は、情報処理部３０の中枢として機能する。システム制御部３８は、図示しない記憶部に記憶されている、本実施形態に特有な読影レポート作成のための専用プログラムを読みだしてメモリ上に展開する。そしてシステム制御部３８は、展開した専用プログラムに従って各部を制御することによって、本実施形態に特有な読影レポート作成処理を実行する。
【００２５】
次に図５を参照しながら、情報処理部３０のシステム制御部３８の制御のもとに行なわれる読影レポート作成処理の典型的な流れを説明する。図５に示すように、まずシステム制御部３８は、レポート作成依頼がなされることを待機している（ステップＳ１）。ユーザにより入力部１０を介してレポート作成依頼がなされることを契機として（ステップＳ１：ＹＥＳ）、システム制御部３８は、レポート作成処理を開始する。
【００２６】
レポート作成処理が開始されるとまずシステム制御部３８は、表示制御部３７を制御して、読影レポート作成画面を出力ＩＦ部４０を介して読影レポート用モニタ５４に表示させる（ステップＳ２）。次にシステム制御部３８は、表示制御部３７を制御して、参照情報として参照画像を、出力ＩＦ部４０を介して参照情報用モニタ５２に表示させる（ステップＳ３）。なおステップＳ２とステップＳ３とは順不同である。
【００２７】
これら読影レポート作成画面と参照画像とが表示されるとユーザは、入力部１０を介して読影レポートを作成し始める。読影レポート作成画面と参照画像とが表示されると、システム制御部３８は、ユーザによりキーボード１２を介して所見欄に所見が入力されることを待機している（ステップＳ４）。そして所見が入力されると（ステップＳ４：ＹＥＳ）、システム制御部３８は、参照画像が選択されることを待機する（ステップＳ５）。
【００２８】
図６は、ステップＳ４〜ステップＳ８の処理を説明するための図である。読影レポートの作成段階においては、まず所見欄Ｒ１に所見が入力される。ユーザは、参照情報用モニタ５２に表示されている参照画像を読影しながら、レポート作成部３１によりキーボード１２を介して読影レポートに文字を入力していく。例えば、図６に示すように、「２００２年１２月１日のＣＴ画像と比較して、・・・」のような文字列が入力される。１つの所見に関する文字列が入力されるとユーザは、次に所見に関するキー画像を読影レポート作成画面に貼り付けるため、参照画像Ｉ１を参照情報用モニタ５２に映し出されている参照画像の中から選択する。参照画像Ｉ１は、参照情報用モニタ５２に表示されているマウスカーソルを介して選択される。参照画像Ｉ１が選択されると（ステップＳ５：ＹＥＳ）、システム制御部３８は、表示制御部３７を制御して、参照画像Ｉ１の選択に用いられたマウスカーソルをドラッグ・アンド・ドロップ操作のためのドラッグアイコンに変換表示する（ステップＳ６）。なお、読影レポート作成のためのアプリケーションは、マルチモニタ対応のアプリケーションであることを明記しておく。
【００２９】
そしてシステム制御部３８は、ユーザによりマウス１４を介して、選択された参照画像Ｉ１が読影レポート作成画面内にドラッグ・アンド・ドロップ操作されることを待機する（ステップＳ７）。ステップＳ６においてドラッグアイコンが表示されるとユーザは、キー画像をキー画像保存領域Ｒ２に貼り付けるため、選択された参照画像Ｉ１をマウス１４を介して読影レポート作成用モニタ５４上の読影レポート作成画面内に移動させ、読影レポート作成画面内にドロップ操作する。
【００３０】
このように、ユーザによりマウス１４を介してドロップ・アンド・ドロップ操作がなされると（ステップＳ７：ＹＥＳ）システム制御部３８は、表示制御部３７を制御して、ドロップされた参照画像Ｉ１に関するキー画像をキー画像保存領域Ｒ２内に表示（貼り付け）する（ステップＳ８）。より詳細には、キー画像生成部３２は、ドロップされた参照画像Ｉ１を検知し、この検知された参照画像Ｉ１をキー画像のデータに変換する。そして表示制御部３７は、キー画像を読影レポート作成画面のキー画像保存領域Ｒ２内に表示する（貼り付ける）。また、生成されたキー画像のデータは、キー画像保存部３５により保存される。
【００３１】
なお、キー画像の貼り付け操作は、上記のようなドラッグ・アンド・ドロップ操作のみに限定されない。例えば、以下の方法によるキー画像の貼り付け操作も可能である。まずステップＳ５において、ユーザは、参照画像を選択する。次にユーザは、参照情報用モニタ５２上にて、マウス１４を右クリック操作をする。この右クリック操作がなされることを契機として表示制御部３７は、メニューを表示する。そしてユーザは、メニューに表示されている「貼り付け」項目を選択する。「貼り付け」項目が選択されることを契機として表示制御部３７は、選択された参照画像に対応するキー画像をキー画像表示領域Ｒ２内に表示（貼り付け）し、キー画像保存部３５は、キー画像のデータを保存する。
【００３２】
キー画像が貼り付けられるとシステム制御部３８は、マーク生成部３３にマーク生成処理を行なわせる。マーク生成処理においてマーク生成部３３は、まず指定文字数が「０」に設定されているか否かを判定する（ステップＳ９）。上述のようにマークの種類は様々あり、例えば、番号マークであったり、文字列マークであったり、縮小画像マークであったりする。指定文字数とは、マークが文字列マークの場合における、文字数である。文字数が「０」の場合、マークは文字列以外の例えば、番号マークや縮小画像マークとなる。文字数が「０」の場合におけるマークの種類は、ユーザにより任意に入力部１０を介して任意に設定可能である。なお以下、説明を具体的に行なうため、文字数が「０」の場合におけるマークは、番号マークであるとする。
【００３３】
以下ステップＳ９以降の処理を説明するが、まずマークが番号マークの場合におけるステップＳ９以後の処理を説明し、次にマークが文字列マークの場合におけるステップＳ９以後の処理を説明する。
【００３４】
図７は、ステップＳ１０〜ステップＳ１２を説明するための図である。マークが番号マークの場合、すなわち指定文字数が「０」であると判定した場合、マーク生成部３３は、ステップＳ１０において表示されたキー画像Ｉ２に対して番号を発番し、発番された番号を表す番号マークＭ１を生成する（ステップＳ１０）。番号は、その読影レポート内で重複しないように発番される。すなわち、読影レポート内における複数のキー画像のそれぞれには互いに異なる番号が発番される。番号マークは、例えば、アイコンやボタン化された番号マークであっても、キーボード１２等により入力される番号であってもよい。
【００３５】
番号マークＭ１が生成されるとシステム制御部３８は、表示制御部３７を制御して、生成された番号マークＭ１を所見欄Ｒ１に入力された文字列の後部に表示する（ステップＳ１１）。具体的には、番号マークＭ１は、所見欄Ｒ１において表示されているキーカーソルＫＣが指し示す場所に挿入され、表示される。
【００３６】
所見欄Ｒ１に番号マークＭ１が表示されるとシステム制御部３８は、表示制御部３７を制御して、ステップＳ１０において表示された番号マークＭ１と同一の番号マークを、ステップＳ８において表示されたキー画像Ｉ２の近傍と、所見欄Ｒ１の下部に設けられたマーク一覧表示領域Ｒ３とにそれぞれ表示する（ステップＳ１２）。こで、キー画像Ｉ２の近傍に表示される番号マークに記号Ｍ２を付し、マーク一覧表示領域Ｒ３に表示された番号マークに記号Ｍ３を付す。複数の番号マークが生成された場合、生成された全ての番号マークがマーク一覧表示領域Ｒ３に一覧で表示される。例えば、番号マークＭ３が生成された順番に従って並べて表示される。
【００３７】
このように、互いに関連する所見とキー画像Ｉ２とのそれぞれの近傍に同一の番号マークＭ１、Ｍ２が表示されることで、ユーザは、この所見とキー画像Ｉ２とが関連することを一目瞭然に把握できる。また、読影レポートを作成した本人でない場合も、ある所見がどのキー画像に基づいて記載されたものなのかを容易に把握できる。
【００３８】
番号マークＭ２、Ｍ３がキー画像Ｉ２の近傍やマーク一覧表示領域Ｒ３に表示されるとシステム制御部３８は、リンク付け部３４にリンク付け処理を行なわせる（ステップＳ１６）。図８は、番号マークの場合におけるステップＳ１６を説明するための図である。図８に示すように、リンク付け部３４は、所見欄Ｒ１に表示される番号マークＭ１とキー画像Ｉ２とをリンク付けし、マーク一覧表示領域Ｒ３に表示される番号マークＭ３とキー画像Ｉ２とをリンク付けする。このリンクの関係は、上述のようにキー画像―マークテーブルに保存される。
【００３９】
さらにリンク付け部３４は、番号マークＭ１やＭ３と、それにリンク付けられたキー画像Ｉ２に由来する参照画像Ｉ１とをリンク付けてもよい。具体的には、リンク付け部３４は、番号マークＭ１やＭ３に参照画像Ｉ１の記憶場所であるアドレス情報を埋め込む。これにより入力部１０を介して、アドレス情報が埋め込まれた番号マークＭ１やＭ３が選択されることで、表示制御部３７は、アドレス情報先の参照画像のデータを読み込み、参照情報用モニタ５２に表示できる。すなわち表示制御部３７は、番号マークＭ１やＭ３が選択されることを契機として、選択された番号マークＭ１やＭ３にリンク付けられたキー画像にＩ２由来する参照画像Ｉ１を表示できる。また、同様の方法でリンク付け部３４は、キー画像Ｉ２とそれに由来する参照画像Ｉ１とをリンク付けてもよい。これにより入力部１０を介してキー画像Ｉ２が選択されることで、表示制御部３７は、選択されたキー画像Ｉ２に由来する参照画像Ｉ１を参照情報用モニタ５２に表示できる。このような番号マークＭ１やＭ３と参照画像Ｉ１、或いはキー画像Ｉ２と参照画像Ｉ１とのリンク付けにより、読影レポートを確認する際の効率が向上する。
【００４０】
次にマークが文字列である場合におけるステップＳ１３以後の処理を説明する。なお番号マークの場合と同一の処理については説明を簡略にし、同一の効果についての説明は省略する。
【００４１】
図９は、ステップＳ１３〜ステップＳ１５を説明するための図である。文字列マークである場合、すなわち指定文字数が「０」に設定されていないと判定された場合、マーク生成部３３は、指定文字数に従って所見欄Ｒ１に入力された文字列からマークとする文字列を決定し、決定された文字列を表す文字列マークを生成する（ステップＳ１３）。例えば、指定文字数＝２に設定されているとする。この場合、例えば、キーカーソルＫＣの前の２文字が文字列マークの対象に決定される。図８に示すように、キーカーソルＫＣの前に文字列「ＣＴ画像」が入力されているとすると、「画像」が文字列マークの対象に決定される。そして文字列マークの対象に決定された文字列「画像」をマーク化し、文字列マークＭ４を生成する。マーク化の方法としては、例えば、文字列「画像」を四角や丸等の図形で囲ったり、下線を引いたりすることにより、マーク化する文字列とマーク化しない文字列とを区別する。
【００４２】
また、読影レポート中に複数の同一の文字列に関する文字列マーク（例えば、複数の「画像」という文字列マーク）が生成される場合に備え、文字列マークの色情報を決定する。より詳細には、複数の同一の文字列に関する複数の文字列マークのそれぞれに対して、互いに異なる色情報が割りつけられる。例えば、文字列「画像」に関する第１の文字列マークには赤色を、文字列「画像」に関する第２の文字列マークには青色が割り付けられる。
【００４３】
なお、指定文字数が設定されていない場合、所見内の特定箇所の文字をマーク化させると良い。特定箇所は、例えば、キーカーソルの前の１文字、後の１文字、前後１文字ずつに設定される。また、１文字でなく２文字以上であってもよい。
【００４４】
このようにして文字列マークが生成されるとシステム制御部３８は、表示制御部３７を制御して、生成された文字列マークを決定された色で表示する（ステップＳ１４）。そして、所見欄Ｒ１に文字列マークＭ４が表示されるとシステム制御部３８は、表示制御部３７を制御して、ステップＳ１０において表示された文字列マークＭ４と同一の文字列マークを同一の色で、ステップＳ８において表示されたキー画像Ｉ２の近傍とマーク一覧表示領域Ｒ３とに表示する（ステップＳ１５）。ここでキー画像Ｉ２の近傍に表示された文字列マークに記号Ｍ５を、マーク一覧表示領域Ｒ３に表示された文字列マークに記号Ｍ６を付す。
【００４５】
このように、互いに関連する所見とキー画像の近傍とに同一の文字列マークが表示されることで、ユーザは、この所見とキー画像とが関連することを一目瞭然に把握できる。
【００４６】
そして文字列マークがキー画像近傍やマーク一覧表示領域Ｒ３に表示されるとシステム制御部３８は、図１０に示すように、リンク付け部３４にリンク付け処理を行なわせる（ステップＳ１６）。
【００４７】
このようにステップＳ１６が行なわれるとシステム制御部３８は、作成された読影レポートの電子ファイルを図示しない記憶部に記憶して、読影レポート作成処理を終了する。なお、ステップＳ１６の終了後、新たに所見が入力された場合は、ステップＳ５に戻り、ステップＳ５以後の処理が繰り返される。
【００４８】
このように所見が複数回入力されることに伴って、読影レポートに複数のキー画像が貼り付けられる。本実施形態により作成される読影レポートにおいて、所見とキー画像とは、視覚的に一対一対応している。従ってユーザは、所見やキー画像が複数ある場合にも、互いに関連する所見とキー画像とを一目瞭然に把握できる。
【００４９】
比較読影をした結果を読影レポートにまとめる場合がある。この場合、比較読影に用いられた複数の関連のあるキー画像が読影レポートに貼り付けられることになる。しかし、上述のように、所見とキー画像とを視覚的に対応付けるのみでは、キー画像同士の関連をユーザに把握させることはできない。
【００５０】
本実施形態に係る読影レポート作成装置は、マーク連動表示処理により、キー画像同士の関連をユーザに容易に把握させる。以下、システム制御部３８の制御により行なわれるマーク連動表示処理について説明する。なおマーク連動表示においてマークの種類は限定されない。しかし以下の説明を具体的に行なうため、マークは番号マークであるとする。
【００５１】
図１１は、マーク連動表示処理を説明するための図である。図１１に示すように所見欄Ｒ１には、上から順番に番号「１」に関する番号マークＭ１１、番号「２」に関する番号マークＭ１２、番号「３」に関する番号マークＭ１３、及び番号「４」に関する番号マークＭ１４が表示されている。また、キー画像保存領域Ｒ２には、番号「１」に関するキー画像Ｉ１１、番号「２」に関するキー画像Ｉ１２、番号「３」に関するキー画像Ｉ１３、及び番号「４」に関するキー画像Ｉ１４が表示される。さらにキー画像Ｉ１１の近傍には番号「１」に関する番号マークＭ２１が、キー画像Ｉ１２の近傍には番号「２」に関する番号マークＭ２２が、キー画像Ｉ１３の近傍には番号「３」に関する番号マークＭ２３が、キー画像Ｉ１４の近傍には番号「４」に関する番号マークＭ２４が表示されている。また、マーク一覧表示領域Ｒ３には、番号「１」に関する番号マークＭ３１、番号「２」に関する番号マークＭ３２、番号「３」に関する番号マークＭ３３、及び番号「４」に関する番号マークＭ３４が表示されている。また、マーク一覧表示領域Ｒ３には、連動表示のためのリンク付けを開始するためのボタンＢ１が表示されている。
【００５２】
まず、ユーザは、連動表示のためのリンク付けを開始させるために、ボタンＢ１をマウス１４を用いて押す。開始ボタンを押すと、ユーザは、マーク一覧表示領域Ｒ３に表示されている複数の番号マークＭ３１〜Ｍ３４の中から、互いに関連のあるキー画像に関する番号マークを選択する。リンク付け部３４は、選択された番号マークを互いにリンク付ける。この番号マーク同士のリンク付けは、上述の連動テーブルに保存される。例えば、図１１のように、番号マークＭ３１と番号マークＭ３３と番号マークＭ３４とが選択されたとする。この場合、選択された番号マークＭ３１と番号マークＭ３３と番号マークＭ３４とがリンク付けされる。これでマーク連動表示のためのリンク付けが終了する。
【００５３】
リンク付けの終了後、表示制御部３７は、リンク付けされた番号マークＭ３１、Ｍ３２、Ｍ３４のうちの何れかが選択されることを待機している。そして、リンク付けされた番号マークＭ３１、Ｍ３２、Ｍ３４のうちの何れかの番号マークが選択されると、表示制御部３７は、選択された番号マークＭ３２に連動させて、番号マークＭ３１とＭ３４とを表示させる。例えば、図１２に示すように、マウス１４操作によりマウスカーソルＭＣで番号マークＭ３３が選択されたとする。番号マーク３３が選択されると、表示制御部３７は、番号マークＭ３３に連動テーブル上でリンク付けられている番号マークＭ３１とＭ３４とを特定する。そして表示制御部３７は、特定された番号マークＭ３１とＭ３４と選択された番号マークＭ３３とを、他の番号マークＭ３２とは異なる表示態様で表示する。ここで、特定された番号マークＭ３１とＭ３４と選択された番号マークＭ３３とをまとめて、連動番号マークＭ３１、Ｍ３３、及びＭ３４と呼ぶことにする。これら連動番号マークＭ３１、Ｍ３３、及びＭ３４は、例えば、他の番号マークＭ３２と異なる色や輝度で表示されたり、点滅されたり、拡大して表示されたりする。これによりユーザは、連動番号マークＭ３１、Ｍ３３、及びＭ３４を一目瞭然に把握できる。
【００５４】
なお、連動表示においては、番号マークだけでなくキー画像をも連動表示させてもよい。具体的には、まず表示制御部２７は、選択された番号マークＭ３３にキー画像―マークテーブル上でリンク付けられているキー画像Ｉ１３を特定する。同様に表示制御部３７は、選択された番号マークＭ３３に連動テーブル上でリンク付けられた番号マークＭ３１とＭ３４とを特定し、特定された番号マークＭ３１とＭ３４とにキー画像―マークテーブル上でそれぞれリンク付けられているキー画像Ｉ１１とＩ１４とを特定する。そして表示制御部３７は、キー画像Ｉ１１、Ｉ１３、及びＩ１４を、他のキー画像Ｉ１２とは異なる表示態様で表示する。具体的には、表示制御部３７は、キー画像Ｉ１１、Ｉ１３、及びＩ１４を、他のキー画像Ｉ１２とは異なる色や輝度で表示させたり、点滅させたり、拡大して表示したりする。また、キー画像Ｉ１１、Ｉ１３、及びＩ１４の枠を点滅させたり、異なる色で表示させたり、あるいは他のキー画像Ｉ１２の枠に比して太くして表示させてもよい。
【００５５】
また、マウスにより選択されることを契機として、連動番号マークＭ３１、Ｍ３３、及びＭ３４にそれぞれ関連付けられた参照画像を参照情報用モニタ５２に所定のレイアウトで表示させてもよい。
【００５６】
なお、連動させたいキー画像や番号マークが重複する場合がある。例えば、番号「１」に関するキー画像及び番号「２」に関するキー画像と、番号「２」に関するキー画像及び番号「３」に関するキー画像とのそれぞれを個別に連動させたいとすると、番号「２」に関するキー画像が重複する。この場合、表示制御部３７は、番号「２」に関するキー画像をコピーしてキー画像表示領域Ｒ２内に貼り付ける。従って、番号「２」に関するキー画像が２つ表示されることになる。このうちの一方のキー画像は、番号「１」に関するキー画像にリンク付けされ、もう一方のキー画像は、番号「３」に関するキー画像にリンク付けされる。なお重複する番号マークも同様にコピーされ、マーク一覧表示領域Ｒ３に表示される。
【００５７】
なお、読影レポート作成画面のレイアウトは、上記のみに限定されない。例えば、図１３に示すように、読影レポート作成画面中のキー画像保存領域をタブＴで切替え可能にするとよい。具体的には、キー画像保存領域をキー画像の数だけ用意する。各キー画像保存領域には、あるキー画像と、そのキー画像に連動テーブル上でリンク付けられているキー画像とが表示される。例えば、図４の連動テーブルのようにキー画像同士が関連付けられているとする。この場合、番号「１」のタブＴ１に関するキー画像保存領域Ｒ５には、番号「１」に関するキー画像Ｉ１１と、番号「２」に関するキー画像Ｉ１２と、番号「７」に関するキー画像Ｉ１７とが表示される。また、番号「２」のタブＴ２が選択されると、タブＴ２に関するキー画像保存領域が表示される。
【００５８】
また図１４に示すように、キー画像保存領域と同様に、読影レポート作成画面中のマーク一覧表示領域をタブＴで切り替え可能としてもよい。この場合、各マーク一覧表示領域Ｒ６には、あるマークと、そのマークにリンク付けられている（連動している）マークとが表示される。例えば、図４の連動テーブルのように番号マーク同士が関連付けられているとすると、図１４のように、番号「１」のタブＴ１に関するマーク一覧表示領域Ｒ６には、番号「１」に関する番号マークＭ３１と、番号「２」に関する番号マークＭ３２と、番号「７」に関する番号マークＭ３７とが表示される。
【００５９】
また、マーク一覧表領域のタブ機能を利用した他のリンク付け処理も可能である。以下、このリンク付け処理の具体例を説明する。まず図５のステップＳ２において、図１４のようなタブを有するマーク一覧表示領域が読影レポート作成画面上に表示されているとする。なお、この段階では、キー画像や番号マークがリンク付けされていないことを明言しておく。また、タブの数は、典型的には、初期的に設定されているものとするが、ユーザにより入力部１０を介して任意に設定されるとしてもよい。
【００６０】
このような読影レポート作成画面が表示されるとユーザは、所望のタブを入力部１０を介して選択し、上述のようにキー画像をキー画像表示領域に繰り返し貼り付けていく。このようにキー画像が貼り付けられると、貼り付けられたキー画像同士、さらにはこれらキー画像同士に対応するマーク同士がリンク付け部３４によりリンク付けられる（連動される）。また、貼り付けられたキー画像や番号マークは、選択されたタブの番号にもリンク付け部３４によりリンク付けられる。これら番号マークは、表示制御部３７により、リンク付けられたタブに関するマーク一覧領域に表示される。
【００６１】
例えば、図１５に示すように、番号「１」のタブが選択され、番号「１」、番号「２」、及び番号「７」のキー画像Ｉ１１、Ｉ１２、Ｉ１７が貼り付けられたとすると、番号「１」のタブに関するマーク一覧領域Ｒ６に番号「１」、番号「２」、及び番号「７」の番号マークＭ３１、Ｍ３２、Ｍ３７が表示される。
【００６２】
また、貼り付けられたキー画像が属するタブも明示するために、キー画像の近傍には、番号マークの他にタブ番号を示すマーク（以下、タブ番号マークと呼ぶことにする）ＭＴも表示されるとよい。例えば図１５においては、キー画像Ｉ１１、Ｉ１２、Ｉ１７の近傍には、番号「１」のタブ番号マークＭＴ１が表示されている。このタブ番号マークの表示により、キー画像Ｉ１１、Ｉ１２、Ｉ１７が番号「１」のタブに属することがわかる。
【００６３】
このようなタブを利用したリンク付け処理の場合、所見欄Ｒ１にもタブ番号マークＭＴが表示されてもよい。これらタブ番号マークＭＴは、リンク付け部３４により、対応するタブやキー画像にリンク付けられる。そしてタブ番号マークＭＴが選択されると、選択されたタブ番号マークにリンク付けられたタブに関するマーク一覧表示領域が連動して表示される。例えば、タブ番号マークＭＴ２が選択されると、番号「２」のタブに関するマーク一覧領域が連動して表示される。このような番号マーク、キー画像、及びタブ番号マーク間の連動表示により、読影効率がさらに向上することが期待される。
【００６４】
上記構成によれば本実施形態に係る読影レポート作成装置は、キー画像内又は近傍と所見内又は近傍とのそれぞれに同一のマークを表示することで、当該キー画像と所見とを視覚的に対応づける。このマークは、キー画像と所見とを一意的に１対１対応するように生成される。すなわち、所見欄（或いはキー画像保存領域）内に同一のマークは存在しない。従ってユーザは、互いに関連のあるキー画像と所見とを一目瞭然に把握できる。かくして本実施形態によれば、キー画像と所見との関連を明瞭に把握可能な読影レポート作成装置を提供することが可能となる。
【００６５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００６６】
以上本発明によれば、キー画像と所見との関連を明瞭に把握可能な読影レポート作成装置の提供を実現することができる。
【符号の説明】
【００６７】
１０…入力部、１２…キーボード、１４…マウス、２０…入力ＩＦ部、３０…情報処理部、３１…レポート作成部、３２…キー画像生成部、３３…マーク生成部、３４…リンク付け部、３５…キー画像保存部、３６…マーク間リンク保存部、３７…表示制御部、３８…システム制御部、４０…出力部、５０…表示部、５２…参照情報用モニタ、５４…読影レポート用モニタ
【図１】
2010277159.tif 000003
【図２】
2010277159.tif 000004
【図３】
2010277159.tif 000005
【図４】
2010277159.tif 000006
【図５】
2010277159.tif 000007
【図６】
2010277159.tif 000008
【図７】
2010277159.tif 000009
【図８】
2010277159.tif 000010
【図９】
2010277159.tif 000011
【図１０】
2010277159.tif 000012
【図１１】
2010277159.tif 000013
【図１２】
2010277159.tif 000014
【図１３】
2010277159.tif 000015
【図１４】
2010277159.tif 000016
【図１５】
2010277159.tif 000017